(57)【要約】【課題】  扉の開閉で閉める順番を間違えて違う扉から誤って閉めても、操作面をパネルの端面で傷つけることがないように、操作面がパネルにぶつかる前に操作面を有する実装ユニットを下方向へスライドする構造、もしくは、実装ユニットが逃げる方式の構造を有する。また、操作面にぶつかる前にパネルを途中で止める方法の構造とすることにある。【解決手段】  電子機器の前扉及び上パネルの開閉順序が決められている構造において、間違えて、先に前扉を閉めた時、前扉に取り付けられているテーブルに上パネルが押して壊されないように、前扉を先に閉めると操作面を有する実装ユニットのロックピンが外れる構造とし、そのロックが外れたことによりテーブルが下方向にスライドする構造により解決した。【選択図】  図１
2006276925.tif 000002
【特許請求の範囲】
【請求項１】
電子機器装置において、
装置上部に配置し開閉可能なフロントパネルと、装置下部に配置し開閉可能な前扉と、前記前扉に取り付けられ種々の操作を行う操作テーブルとを有し、
前記フロントパネルと前記前扉とを閉めたときに前記操作テーブルを固定状態とし、前記前扉のみを閉めたときに前記操作テーブルを上下に可動状態とすることを特徴とする電気機器装置。
【請求項２】
請求項１記載の電子機器装置において、
前記フロントパネルの裏側より当接するフロントパネル開閉アームと、
前記フロントパネル開閉アームに連動するローラと、
前記前扉の裏側に設置されたスライドブロックとを有し、
前記フロントパネルと前記前扉とを閉めたとき前記フロントパネルの裏側板で前記フロントパネル開閉アームを押し込むと共に前記ローラを前記スライドブロックと当接しない位置に保持することを特徴とする電子機器装置。
【請求項３】
請求項１記載の電子機器装置において、
前記フロントパネルの裏側より当接するフロントパネル開閉アームと、
前記フロントパネル開閉アームに連動するローラと、
前記前扉の裏側に設置されたスライドブロックとを有し、
前記フロントパネルを開けることで前記フロントパネル開閉アームの端部は前記フロントパネル方向に回転し、当該回転と共に前記ローラを前記スライドブロックと当接位置に移動し、前記前扉を閉めるとき前記ローラに前記スライドブロックは当接して移動することで、前記操作テーブルを上下に移動可能にすることを特徴とする電子機器装置。
【請求項４】
請求項１記載の電子機器装置において、
前記フロントパネルを開け且つ前記前扉を閉めた状態から前記フロントパネルを閉めるとき、当該フロントパネルの端部によって前記操作テーブルを下方に移動させた後に前記フロントパネルを閉めることを特徴とする電子機器装置。
【発明の詳細な説明】
【技術分野】
【０００１】
電子機器の保守時に開閉する扉がそれぞれ別の方向に開閉できる２つ以上の扉があり、その扉の開閉方向が異なる方向に開き、片方の扉には操作面を有する電子機器を搭載しているユニットが取り付けられている装置、そのユニットは操作性が優れている高さに実装し、開閉扉位置より上の重なり合う位置まで設置実装されている電子機器装置及びその構造に関する。
【背景技術】
【０００２】
従来の電子機器装置は例えば特開平９−１６１１２７号公報に記載の現金自動取引装置等で使用されるＡＴＭがある。このＡＴＭでは、前側中央部に液晶パネルからなる表示操作部を本体筐体の上部と下部との中間部分から突出させて形成し、前側中央部に表示操作部を形成する液晶パネルを取り付けた操作テーブル面と取扱の表示を行う取扱表示部を取り付けた上部の表面パネル面とを一体的に形成した開閉部を本体筐体に対して軸支して開閉可能とし、開閉部の上部を本体筐体に対して軸支した構成としている。
【０００３】
【特許文献１】特開平９−１６１１２７号公報
【発明の開示】
【発明が解決しようとする課題】
【０００４】
上記従来の金融機関等で使用されるＡＴＭにおいては、前側中央部に表示操作部を形成する液晶パネルを取り付けた操作テーブル面と取扱の表示を行う取扱表示部を取り付けた上部の表面パネル面とを一体的に形成している。よって表面パネルが上方に位置しているため、保守時においてメカ等が引出した状態で操作テーブル面の液晶パネルを見ながらメカの内部状態を把握することができなく、常に見える位置にないので保守がし難しい。また保守エリアを多く取り、省スペース化を図ることを十分に考慮されていなかった。
【０００５】
本発明の目的は、上記の課題を解決すべく、保守時には操作テーブルの位置が操作し易い高さに設置して、メカ等が引出した状態でも操作テーブルの操作が出来ることを実現することである。また、操作テーブルの実装位置が変わることで新たな大きな問題は、操作テーブルを前扉に付けることにより扉の開閉で閉める順序を間違えて、違う扉から誤って閉めても、操作面をパネルの端面で傷つけることがないように、操作面を有する実装ユニットの操作面がパネルにぶつかる前に下方向へスライドする機構、もしくは、実装ユニットが逃げる方式の構造を有する。
【課題を解決するための手段】
【０００６】
電子機器装置の表示操作部を形成する液晶パネルを取り付けた操作テーブルと取扱の表示を行う取扱表示部を取り付けた上部の表面パネルとを一体的に形成しているのを切り離して、操作テーブルを前扉に取り付ける。また、保守時において、操作テーブルを見える位置に設置させて形成した。また、電子機器の前扉に表示操作部を形成する液晶パネルを取り付けたことにより電子機器の前扉と上パネルとの開閉順序を間違えて、先に前扉を閉めた時、前扉に取付けてられているテーブルに上パネルが押して壊されないように、前扉を先に閉めると操作面を有する実装ユニットのロックピンが外れる構造として、そのロックが外れたことによりテーブルが下方向にスライドさせる。
【発明の効果】
【０００７】
本発明によれば、保守時において操作テーブルを見える位置に設置でき、保守時のメンテナンスに効率良く出来て、作業が容易に進めることができる効果がある。また、電子機器の前扉と上パネルとの開閉順序を間違えても、操作テーブル面に扉で傷つけることがなく、安全性も向上する。また、扉の開閉順序の注意喚起をしなくてもよくなり保守時における、操作手順を考えずに操作面の傷防止が計られる。また、保守するたびに操作面を破損しなくなり、障害率もさがり稼動品質も上がる。
【発明を実施するための最良の形態】
【０００８】
電子機器の表示操作部を形成する液晶パネルを取り付けた操作テーブルを有し、特にその操作テーブルを前扉に設けることにより、保守操作及びデバック時に表示操作部の液晶パネルを見ながら頻繁に操作する装置で、電子機器の前扉と上パネルとの開閉順序に制約がなく、開閉される扉構造を有する電子機器構造である。
【実施例１】
【０００９】
以下、本発明の一実施例を図面により説明する。
【００１０】
図１は本発明に係る電子機器テーブルスライド構造の外観を示す斜視図である。図２は図１の操作テーブル３と表示操作部付近の右側面図である。図１において、電子機器装置１の左上方には磁気カードを処理する磁気カード処理機構部と明細票を発行する明細票処理機構のカード処理部２が搭載してあり、そのカード処理部２の前面からカードスロット２ａに磁気カード（ＩＣカードも可）を挿入して処理をする。
一方、電子機器装置１の右側には、チケット等を発券処理する機構である発券処理部４が実装されていて、その前面部にはチケット等を出す口である発券口５を設けている。この発券口５は、上部にチケット等を取消しする時に挿入する口と発券する口があり、図示するように下の方までえぐられている。これは、発券枚数が最大で約１８枚を一括に発券するため大きくしている。図２からも解るように発券口５が操作テーブル３まで食い込んでおり、フロントパネル１１の先端３７が操作テーブル３の中間まで設置する実装となる。
電子機器装置１の上方部中央にはエンドユーザに対して取引の内容を表示及び入力する液晶パネルでなる上部操作部６が設けられている。また、前面左側手前には携帯電話のバーコードでチケット等を発券する読取部の操作パネル７及びＩＣカードでも発券する読取部である非接触カード部８を操作テーブル３に配置している。携帯電話及びＩＣカードを操作テーブル３に置き易いように装置中段位置より若干高い位置に配置し、また媒体を置き易いように傾斜をつけている。
電子機器装置１の前面右側には前扉１２を右へ開くように前扉ヒンジ９を筐体右側面２４（図９参照）の上下２ヶ所に設置して前扉キー３５にて開閉ができる。また、操作テーブル３は前扉１２の左上方に設置している。図２においては、上部液晶パネルである上部操作部６はフロントパネル１１に固定していて、電子機器装置１の本体三角部１５にヒンジ固定板１４でヒンジ１０を固定し、そのヒンジ１０でフロントパネル１１を上方へと開くことができる。また、本体三角部にフロントパネル１１開閉用にガススプリング１３を固定して、ガススプリング１３の反対側はフロントパネル１１に固定している。このガススプリング１３によりフロントパネル１１をどの位置でも止められるように設定している。
【００１１】
図３は装置下部に配置した前扉１２（第２扉とも言う）を先に開き、その後に、装置上部に配置したフロントパネル１１（第１扉とも言う）を開いて前扉１２を閉めた図で、この状態で保守を行うことがある。図４は、図３の状態からフロントパネル１１を閉めていった状態でフロントパネル１１の先端３７が操作パネルドテ３６に触る位置の図である。また、図５は図４に対して前扉が開いている状態で操作テーブルにフロントパネルがぶつからず逃げている時の図を示す。
【００１２】
ここで電子機器装置１の特徴を簡単に説明する。装置内部を保守する際は、フロントパネル１１のみ、またはフロントパネル１１と前扉１２の両方とも開いて保守作業を行う。前扉１２にはエンドユーザが操作する操作テーブル３が取り付けられ、図２に示すように、フロントパネル１１と前扉１２とを閉めた箇所を覆う位置に操作テーブル３を配置する。そしてフロントパネル１１と前扉１２とが閉められた状態では操作テーブル３はスライドしない、即ち固定状態となり、エンドユーザが操作しても問題がない。フロントパネル１１と前扉１２とを両方開いた状態から夫々を閉める場合、最初にフロントパネル１１を閉め、その後に前扉１２を閉める方法１（図５参照）と、前扉１２を閉めた後にフロントパネル１１を閉める方法２（図３，４参照）とがある。上述のように、操作テーブル３の取付位置、配置から方法１であれば問題ないが、方法２の場合は既に閉められた前扉１２に取り付けられた操作テーブル３の上面にフロントパネル１１の端部３７が接触してテーブル面を壊す可能性がある。そこで、後述するように、方法２の場合でも操作テーブル３が下にスライドする構成を採用している（図８参照）。この操作テーブル３に着目すると、前扉１２のみが閉まったときはフリー状態となりスライド可能で、前扉１２とフロントパネル１１とが閉まったとき、又は、両者とも開いたときは前扉１２に対して固定状態となりスライドしない。
【００１３】
これらの特徴の構成、構造について以下、図６〜１２を用いて詳細に説明する。
【００１４】
図６は、フロントパネル１１が閉めている時に、フロントパネル開閉アーム１６が筐体内部に入り込んでいる状態を表わしている。フロントパネル１１の裏側ではフロントパネル開閉アーム先端部１６ａが当たっていて、フロントパネル開閉アーム１６は電子機器装置１の左側面に取り付けてあるアーム軸１８を中心にＢ矢印方向に回転する。その回転動作は復帰バネ２０の引張り力で行っていて、復帰バネ２０は電子機器装置１の左側面に取り付けてあるアーム軸１９とフロントパネル開閉アーム１６の一部に引掛けて、引張りバネ力でフロントパネル開閉アーム１６を回転する。また、フロントパネル開閉アーム１６の別の先端にはローラ１７を取り付けてありローラ１７は軸を中心に回転する。つまり、フロントパネル１１を閉めるときはアーム１６の先端１６ａを押し込んで閉め、開けるときはアーム１６と連通した復帰バネ２０の復帰力により簡単に開く構造を採用している。なお、アーム１６は後述の図８の状態まで戻る。
【００１５】
図７は図６のＡ矢視図を示し、フロントパネル１１と前扉１２を省いた図で、フロントパネル開閉アーム先端部１６ａは筐体左側面角穴部２１から出っ張る。この出っ張りにより保守員、操作員はフロントパネル１１を簡単に開けることが可能となる。
【００１６】
図８は、フロントパネル１１が開いた時のフロントパネル開閉アーム１６と前扉１２に取り付けている操作テーブル３との関係を図示している。先に前扉１２を閉め、その後、フロントパネル１１を閉めると操作テーブル３の操作パネルドテ３６にフロントパネル１１の先端３７がぶつかり、さらにフロントパネル１１を下方向へ押していくと、操作テーブル３がＣ矢印方向へスライドして下がる。その操作テーブル３がＣ矢印方向に動く方式を図９〜図１２で説明する。
【００１７】
図９は図８を上から見て、フロントパネル１１を省いた平面図で、ローラ１７とスライドブロック２３との関係を示す。ローラ１７はフロントパネル開閉アーム１６と連動して図６の矢印Ｂ方向で動く。即ち、フロントパネル１１を閉めると、アーム１６が上方向に動くと共にローラ１７も上方向に動き（図６参照）、図９に図示する前扉１２の裏側に取り付けられたスライドブロック２３とは当接しない。一方、図８のようにフロントパネル１１を開くと、アーム１６の先端１６ａが出っ張ると同時に下方向に動き、ローラ１７も下方向に動くため、ローラ１７とスライドブロック２３とが当接する。この状態を示すのが図９であり、その状態で前扉１２を閉めていくと前扉１２の上部において、ローラ１７とあたる位置にスライドブロック２３が前扉１２に固定された図１１のシャフト軸２７（２個）を軸に左右方向にスライドする。左右方向のスライド動作は圧縮バネ２５により行い、常にローラ１７とスライドブロック２３が接触する位置関係を設けている。
【００１８】
図１０は図９の右側面から見た図で、スライドブロック２３に取り付けてあるストッププレート２８と操作テーブル３に取り付けてある操作テーブル上下アーム２９との関係を示す。スライドブロック２３の下部にストッププレート２８を取り付けていて、スライドブロック２３が動くとストッププレート２８も動く。操作テーブル３には、固定金具３１と操作テーブル上下アーム２９が取り付けてある。また、前扉１２には、シャフト３３を有するバネ受け３２が取り付けてある。そのシャフト３３は、操作テーブル上下アーム２９の曲げ部２９ａに穴を介して、操作テーブル上下アーム２９がシャフト３３に沿って上下する。上下動作をさせるためにシャフト３３に圧縮バネ３０を巻き込ませていて、バネ受け３２と操作テーブル上下アーム２９の曲げ部２９ａ間にあって、操作テーブル３が下へ落ちらないようにしている。
【００１９】
図１１は図１０をＤ矢視方向から見た図である。さらに、図１２はスライドブロック２３とストッププレート２８に勘合する操作テーブル上下アーム２９との関係を示している。図１１と図１２では、操作テーブル３に固定されている操作テーブル上下アーム２９が上下スライドするように前扉ミゾ３４が前扉１２に設けてあり、その前扉ミゾ３４に沿って、操作テーブル３が上下する。スライドブロック２３の下部に取り付けてあるストッププレート２８の先端部２８ａは、操作テーブル上下アーム２９の曲げ部２９ａと重なり合う位置に設けてあって、スライドブロック２３が図１１の左右方向に動かないと操作テーブル３が下へ動かない関係となる。つまり、図９のように前扉１２を閉めていくとスライドブロック２３がローラ１７に当たりスライドブロック２３のＲ形状に沿ってスライドブロック２３が動き、同時にストッププレート２８も移動する。ストッププレート２８が図１２の（イ）の寸法より多く移動すると操作テーブル上下アーム２９の曲げ部２９ａと重なり合っているストッププレート先端部２８ａがずれることにより、操作テーブル上下アーム２９が上下に移動可能となり、それと共に操作テーブル３も上下へ移動することが出来る。
【００２０】
このようにローラ１７にスライドブロック２３が当接してスライドブロック２３が移動することで（図９参照）、操作テーブル３のロックがはずされる。よって、フロントパネル１１が開いた状態で、先に前扉１２を閉めても操作テーブル３が下へ移動可能となることにより（図８参照）、フロントパネル１１で操作テーブル３を下へ押し込んでいっても、フロントパネル１１を閉めることが出来る。また、フロントパネル１１を閉めることによりフロントパネル１１の裏側面でフロントパネル開閉アーム先端部１６ａを押し込んでいくのでローラ１７が上に逃げ（図６参照）、さらにローラ１７と接触していたスライドブロック２３が元の位置に戻る。その時に、ローラ１７と接触していたスライドブロック２３が元の位置に戻る前より先に操作テーブル３が元の高さに戻るように圧縮バネ３０の力を強く設定している。スライドブロック２３が元の位置に戻ることによりストッププレート２８も戻り、先に操作テーブル３のストッププレート先端部２８ａが元の位置の重なり合う位置となり、操作テーブル３の上下ロックが掛かり、操作テーブル３が固定される。従って、エンドユーザが操作テーブル３上で操作する場合でもスライドせずに固定した状態で操作を行うことが可能となる。
【図面の簡単な説明】
【００２１】
【図１】本発明に係る電子機器テーブルスライド構造の外観を示す斜視図である。
【図２】本発明に係る図１に示す操作テーブル部・表示操作部付近の右側面図である。
【図３】図２に示す表示操作部を開けた状態(保守時)を示す右側面図である。
【図４】図３に示す表示操作部を閉める状態(操作テーブルにフロントパネル先端がぶつかる直前時)を示す右側面図である。
【図５】図４に対して前扉が開いている状態(操作テーブルにフロントパネルがぶつからず逃げている時)を示す右側面図である。
【図６】フロントパネルとフロントパネル開閉アームとの関係図(フロントパネルを閉じている状態)
【図７】図６のＡ矢視図(フロントパネル開閉アームと筐体側面との関係図)
【図８】フロントパネルとフロントパネル開閉アームとの関係図(フロントパネルを閉じている状態)
【図９】図８の平面図(前扉とフロントパネル開閉アームとの関係)
【図１０】前扉と操作テーブルの機構図
【図１１】図１０のＤ矢視図
【図１２】図１０のＥ矢視図
【符号の説明】
【００２２】
１：電子機器装置、２：カード処理部（カード・明細票処理機構）、２ａ：カードスロット、３：操作テーブル、４：発券処理部（発券処理機構）、５：発券口、６：上部操作部(上部液晶パネル面)、７：操作パネル(バーコード読取部)、８：非接触カード部、９：前扉ヒンジ、１０：ヒンジ(フロントパネル用)、１１：フロントパネル、１２：前扉、１３：ガススプリング(フロントパネル開閉用)、１４：ヒンジ固定板、１５：本体三角部、１６：フロントパネル開閉アーム、１６ａ：フロントパネル開閉アーム先端部、１７：ローラ、１８：アーム軸、１９：筐体側軸、２０：復帰バネ、２１：筐体左側面角穴部、２２：筐体左側面、２３：スライドブロック、２４：筐体右側面、２５：圧縮バネ(スライドブロック復帰用)、２６：バネ押え、２７：シャフト軸、２８：ストッププレート、２８ａ：ストッププレート先端部，２９：操作テーブル上下アーム、２９ａ：操作テーブル上下アーム曲げ部、３０：圧縮バネ(上下アーム復帰用)、３１：固定金具、３２：バネ受け、３３：シャフト、３４：前扉ミゾ、３５：前扉キー、３６：操作テーブルドテ、３７：先端、
【図１】
2006276925.tif 000003
【図２】
2006276925.tif 000004
【図３】
2006276925.tif 000005
【図４】
2006276925.tif 000006
【図５】
2006276925.tif 000007
【図６】
2006276925.tif 000008
【図７】
2006276925.tif 000009
【図８】
2006276925.tif 000010
【図９】
2006276925.tif 000011
【図１０】
2006276925.tif 000012
【図１１】
2006276925.tif 000013
【図１２】
2006276925.tif 000014